(57)【特許請求の範囲】
【請求項１】
駆動軸に配されたセパレートローラと、該駆動軸を支点として回動可能に設けられるピックアップアームと、該ピックアップアームの先端に回動可能に設けられるピックアップローラと、前記ピックアップローラと前記セパレートローラの中間に位置し、原稿の先端を規制する規制位置から揺動可能に設けられるシャッタとを備えた給紙装置であって、ピックアップアームの上下回動に連動してシャッタを駆動する駆動部材と、シャッタを上昇させる弾性部材とを設け、該駆動部材は、原稿がないときはピックアップアームと連動してシャッタを下降する位置に作動され、原稿があるときはピックアップアームとシャッタとの連動が解除されるようにしたことを特徴とする給紙装置。
【請求項２】
前記ピックアップアームは、前記駆動部材に、該ピックアップアームの上下回動範囲内にある中間位置で係合するように構成されると共に、原稿のあるときに前記駆動部材の回動を規制する規制部材を設けた、
ことを特徴とする請求項１に記載の給紙装置。
【発明の詳細な説明】
【０００１】
【発明の属する技術分野】
本発明は、ファクシミリ装置や複写装置等に用いられる自動原稿搬送装置の給紙装置に関する。
【０００２】
【従来の技術】
従来より自動原稿搬送装置においては、ユーザーが原稿が挿入するときに、用紙さばき装置（セパレートローラおよびリタードローラ）への突入を防止し、安定した給紙を行うため、ピックアップローラと用紙さばき装置との中間位置にシャッタが配置されている。
そして、シャッタをピックアップアームと機構的に常時連動するように構成して、該ピックアップアームの揺動動作に連動させてシャッタの昇降動作が行われるようにしていた。
また、シャッタを原稿先端から離間するように上昇させるため、シャッタの回動支点がピックアップローラと同軸となるように構成していた。
【０００３】
【発明が解決しようとする課題】
前述のようにシャッタをピックアップアームに機構的に常時連動させていると、多数枚の用紙を挿入したときはピックアップローラ（ピックアップアーム）の下がり幅が小さく、シャッタが十分に上昇しないという問題が発生する。また、ピックアップローラが原稿を１枚送る毎に上下動するのに伴ってシャッタも上下動し、原稿搬送途中に原稿が傷つけられてしまう等の問題もあった。
また、前述のようにシャッタの回動支点をピックアップローラと同軸に設けると、回動支点とシャッタ本体とを連結するアームが短くなり、シャッタの昇降のために必要な回動角度範囲が大きくなる。従って、シャッタを上昇させたときにその先端がセパレートローラの枢軸と接触しないようにするために、ピックアップローラの枢軸からセパレートローラの枢軸までのスペースを十分確保する必要があるが、そのようなスペースを確保するのは困難なことであった。
【０００４】
【課題を解決するための手段】
本発明の解決しようとする課題は以上の如くであり、次に該課題を解決するための手段を説明する。
即ち、請求項１においては、駆動軸に配されたセパレートローラと、該駆動軸を支点として回動可能に設けられるピックアップアームと、該ピックアップアームの先端に回動可能に設けられるピックアップローラと、前記ピックアップローラと前記セパレートローラの中間に位置し、原稿の先端を規制する規制位置から揺動可能に設けられるシャッタとを備えた給紙装置であって、ピックアップアームの上下回動に連動してシャッタを駆動する駆動部材と、シャッタを上昇させる弾性部材とを設け、該駆動部材は、原稿がないときはピックアップアームと連動してシャッタを下降する位置に作動され、原稿があるときはピックアップアームとシャッタとの連動が解除されるようにしたものである。
【０００５】
請求項２においては、前記ピックアップアームは、前記駆動部材に、該ピックアップアームの上下回動範囲内にある中間位置で係合するように構成されると共に、原稿のあるときに前記駆動部材の回動を規制する規制部材を設けたものである。
【０００６】
【発明の実施の形態】
本発明の給紙装置２を備えた自動原稿搬送装置（以下ＡＤＦ装置）１について、図１、図２を用いて説明する。図１はシャッタ２１が下降した状態を示すＡＤＦ装置１の側面断面図であり、図２はシャッタ２１が上昇した状態を示すＡＤＦ装置１の側面断面図である。
図１、図２には、ファクシミリ装置や複写装置等の画像形成装置に備えられるＡＤＦ装置１が示されている。該ＡＤＦ装置１は上部の給紙装置２と下部の搬送装置３とから構成されている。該搬送装置３の上面にはインナーガイド４１が配設されており、該インナーガイド４１の右部（ＡＤＦ装置１への原稿挿入口１ａ）とそれに連なる供給トレイ（図示せず）上には、原稿束５を載置可能としている。そして、インナーガイド４１上に載置された原稿束５を、給紙装置２により一枚づつ分離して給送し、原稿５ａがＡＤＦ装置１内部へ搬送されるようにしている。
【０００７】
ＡＤＦ装置１内には原稿搬送路が設けられており、前記搬送装置の下方に配設される原稿読取部（図示せず）により、該原稿搬送路内を送られる原稿５ａが該原稿搬送路の中途部にて読み取られるようにしている。読取られた後の原稿５ａは、アウターガイド４５の右部（ＡＤＦ装置１への原稿排出口１ｂ）に連なる排出トレイ（図示せず）へ排出される。
前記原稿搬送路は、給紙装置２の下面に設けたアウターガイド４０や、搬送装置３に設けたインナーガイド４１・４２・４３・４４およびアウターガイド４５等によって形成されている。そして原稿５ａを搬送可能とするため、原稿搬送路に沿って、リタードローラ３３、フィードローラ３４・３５・３６等が配置されている。これらのローラは駆動ローラであり、フィードローラ３４・３５・３６はＡＤＦ装置１内へ原稿５ａを搬送する向き（以下原稿給送方向）に回転している。また、リタードローラ３３は原稿５ａを原稿挿入口１ａへ逆送する向きに回転しているが、後述するように、給紙装置２に設けられるセパレートローラ６の作用により、原稿５ａはＡＤＦ装置１内へ搬送される。
【０００８】
次に、前記給紙装置２について説明する。給紙装置２には原稿繰込み機構とシャッタ機構とが備えられており、まず原稿繰込み機構について、図１から図３を用いて説明する。図３は、シャッタ２１が下降した状態を示す給紙装置２の要部の平面図である。
駆動軸４は、図示せぬモータの動力がギヤ等を介して伝達され駆動されるようにしており、該駆動軸４にはセパレートローラ６が配されている。該セパレートローラ６は駆動軸４の原稿給送方向への回転により、原稿５ａを給送する。セパレートローラ６の両側には、駆動軸４を支点としてピックアップアーム７・８が回動自在に設けられており、該ピックアップアーム７・８の先端にはピックアップローラ９が回動可能に設けられている。
ピックアップアーム７と前記アウターガイド４０との間には、スプリング等で形成される弾性部材１０が介装されており、ピックアップアーム７（およびピックアップローラ９）を駆動軸４を支点として上方へ付勢するようにしている。
【０００９】
セパレートローラ６は、ワンウェイクラッチ１１を介して駆動軸４に取り付けられており、該駆動軸４の回転によりセパレートローラ６を原稿給送方向に回転させると共に、セパレートローラ６が同方向（原稿給送方向）に回転する場合は空回りさせるようにしている。
セパレートローラ６には同軸上でギア１２が固設されており、セパレートローラ６とギア１２とが一体的に回転するようにしている。また、前記ピックアップローラ９にも同軸上でギア１３が固設されており、ピックアップローラ９とギア１３とが一体的に回転するようにしている。そしてギア１２とギア１３とには、ベルト１４が巻回されており、駆動軸４の回転がピックアップローラ９にも伝達されるようにしている。
【００１０】
ギア１３と前記ピックアップアーム７との間にはトルクリミッタ１５が設けられており、ギア１３はトルクリミッタ１５による負荷トルクを受けて回転を制限されている。そして、該トルクリミッタ１５で制限する負荷トルク（限界トルク）以上のトルクがギア１３に加えられると、該ギア１３はピックアップアーム７に対して回転する。
駆動軸４が回転を始めると、前述したようにギア１３に回転力が伝達されて、ギア１３が回転しようとするが、トルクリミッタ１５による負荷トルクによって該ギア１３の回転は制限される。一方、前述したように、ピックアップアーム７は駆動軸４に対して回動自在に設けられている。このため駆動軸４の回転力は、その回動がギア１３の回転に比して容易であるピックアップアーム７に向けられる。従って、ピックアップアーム７が駆動軸４を支点として下降回動し、ギア１３はピックアップアーム７に相対的に固定されて回転しない。この結果、ピックアップアーム７の下降回動に応じてピックアップローラ９が下降する。
下降するピックアップローラ９が図２に示すように原稿束５と接触した場合は、ピックアップアーム７はそれ以上下降できない。この結果、駆動軸４の回転力はすべてギア１３に向けられ、この場合は、駆動軸４から該ギア１３に加わるトルクがトルクリミッタ１５で制限されている負荷トルクを上回るようになっている。従って、ギア１３がピックアップアーム７に対して回転し、ピックアップローラ９が回転する。
【００１１】
つまり、駆動軸４が原稿給送方向に回転する場合は、ワンウェイクラッチ１１が係合して、前記駆動軸４の回転力がセパレートローラ６およびギア１２に伝達され、この結果、ピックアップローラ９が原稿束５と接触するまでピックアップアーム７を下降させる。そして、ピックアップローラ９が原稿束５と接触すると、ギア１３に前記限界トルク以上のトルクが加わってピックアップローラ９が回転し、原稿束５の最上に位置する原稿５ａをＡＤＦ装置１内へと繰込むのである。
【００１２】
また、駆動軸４が原稿給送方向に対して逆回転する場合は、ワンウェイクラッチ１１の係合が解除され、セパレートローラ６およびギア１２への動力伝達が遮断される。したがって、ピックアップアーム７にも回転力は伝達されず、該ピックアップアーム７は前記弾性部材１０の付勢力により上方へ回動する。
なお、後述するように、駆動軸４が逆回転するのは、原稿束５をすべてＡＤＦ装置１内へ繰込んでインナーガイド４１に一枚も原稿がなくなったときである。
【００１３】
図２に示すように、ピックアップローラ９によりＡＤＦ装置１内側へ繰込まれた原稿５ａは、まずセパレートローラ６と前記リタードローラ３３との間に搬送される。セパレートローラ６とリタードローラ３３とで用紙さばき装置が構成されており、該用紙さばき装置は以下のようにして、ピックアップローラ９側から搬送されてきた原稿５ａを一枚ずつ、前記用紙搬送路へ給送するようにしている。
原稿５ａの搬送時において、セパレートローラ６が原稿給送方向に回転するのに対し、リタードローラ３３は前述したように逆方向に回転する。リタードローラ３３はトルクリミッタを介して該ローラの駆動軸に設けられており、一定以上のトルクが加えられる場合には、該駆動軸に対して回動自在となるようにしている。セパレートローラ６はリタードローラ３３に圧接しており、両ローラ間に原稿を挟まない場合、もしくは一枚だけ原稿５ａを挟んでいる場合には、リタードローラ３３はセパレートローラ６に連れ回りして原稿給送方向に回転する。これは、セパレートローラ６の回転のトルクがリタードローラ３３に加わる場合には、前記トルクリミッタが解除されるためである。
【００１４】
セパレートローラ６およびリタードローラ３３は、外周にゴム等の摩擦係数の大きな部材を配設している。そして、原稿５ａ・５ａ間に働く摩擦力より、それらのローラと原稿５ａ間とに働く摩擦力の方が大きくなるようにしている。このため、複数枚の原稿５ａ・５ａ・・・が用紙さばき装置に搬送されてきた場合には、リタードローラ３３はセパレートローラ６に連れ回りしないで、搬送された複数枚の原稿のうち最下の一枚を前記原稿挿入口１ａ側へ逆送する。このようにして、複数枚の原稿５ａ・５ａ・・・がピックアップローラ９によりＡＤＦ装置１内側へ繰込まれた場合でも、前記用紙さばき装置により分離されて、一枚の原稿５ａだけが原稿搬送路へと給送されるようにしている。
【００１５】
用紙さばき装置より原稿搬送路へ給送された原稿５ａは前記フィードローラ３４によって搬送されるが、ここでフィードローラ３４の回転速度はセパレートローラ６の回転速度よりも大きく設定されている。従って、図７に示すように原稿５ａの先端がフィードローラ３４にまで至ると、原稿５ａの後端がセパレートローラ６から抜け切るまでは、セパレートローラ６は連れ回りして、フィードローラ３４と同速度で回転する。
上述するようにセパレートローラ６がフィードローラ３４と同速度で回転するとき、セパレートローラ６は駆動軸４に対し、相対的に原稿給送方向へ回転することになる。このような場合は前述したように前記ワンウェイクラッチ１１が切断され、ピックアップアーム７が上方へ回動を始める。
つまり、フィードローラ３４に原稿が供給されると、一旦ピックアップローラ９が上昇して原稿束５より離間し、少し間をおいて原稿５ａの後端がセパレートローラ６が抜けてから、ピックアップローラ９は再び下降して次の原稿５ａの繰込みを行うのである。
【００１６】
次に、前記シャッタ機構について説明する。駆動軸４よりもＡＤＦ装置１内側には枢軸１６が配設されており、該枢軸１６はＡＤＦ装置１のケーシングに回動自在に設けられている。
枢軸１６には、係合部材１７、掛止部材１８、駆動部材１９・１９がそれぞれ固設されており、これらの部材は枢軸１６と一体的に回動する。前記アウターガイド４０上には支持部材４６が固設されており、該支持部材４６と前記掛止部材１８との間には、スプリング等で形成される弾性部材２０が介装されている。該弾性部材２０は、駆動部材１９・１９が枢軸１６を支点として上方回動する方向の付勢力を常時作用させるようにしている。
【００１７】
駆動部材１９の原稿挿入口１ａ側には、シャッタ２１がＡＤＦ装置１のケーシングに回動自在に設けられている。シャッタ２１は支点軸２１ａで前記ケーシングに枢設されており、該支点軸２１ａからセパレートローラ６側に向けてアーム２１ｂを固設している。該アーム２１ｂの先端には支持軸２１ｃの一端が固設されており、支持軸２１ｃの他端にはシャッタ部２１ｄが固設されている。シャッタ部２１ｄは図５に示すように、側面視でピックアップローラ９とセパレートローラ６との中間に位置するようにしている。
駆動部材１９の先端には案内溝１９ａが形成されており、該案内溝１９ａに前記支持軸２１ｃが挿入され摺動自在としている。そして駆動部材１９の上下回動に伴って、支持軸２１ｃを案内溝１９ａに沿って滑らせながら、シャッタ２１が上下に回動するようにしている。
以上構成により、シャッタ２１は前記弾性部材２０により、駆動部材１９を介して上方に付勢されている。
【００１８】
主に図３に示すように、前記ピックアップアーム８の枢軸１６側には突起部８ａが形成されており、該突起部８ａには係合片２２が固設されている。一方、前記係合部材１７には係合部１７ａが突起して形成されている。そして、ピックアップアーム７・８の駆動軸４回りの回動により、係合片２２と係合部１７ａとが係合して、係合部材１７が枢軸１６を支点として回動可能となるようにしている。
係合部材１７と前記駆動部材１９は前述のとおり一体的に回動するように構成しているため、該係合部材１７の回動により駆動部材１９も回動する。そして、駆動部材１９の回動により、シャッタ２１が回動するのである。
なお、係合部材１７の形状は、前述の構成に限定されるものではなく、例えば円筒部材の一部を切り欠いて、前記係合片が切欠部で係合するようにしてもよい。
【００１９】
シャッタ２１の回動を規制するための機構について、図４を用いて説明する。図４はシャッタ２１の回動規制状態を示す給紙装置２の側面断面図である。なお、図５および後述の図６から図４では、掛止部材１８、弾性部材２０の図示を省略している。
前記支持部材４６には、図１から図４に示すように、シャッタ２１の回動を規制するための規制部材２３が設けられている。規制部材２３はソレノイドを備えており、該ソレノイドへの電力のＯＦＦ・ＯＮにより、コア２４を進退可能としている。また、コア２４の前面には平面視Ｌ字形の掛止部材２５が固設されており、該掛止部材２５には枢軸１６を摺接可能とする長穴が設けられている。掛止部材２５が前記長穴で枢軸１６に掛止されることで、コア２４が進退しても枢軸１６に対して位置ズレを起こさないようにしている。
前記掛止部材２５のＬ字形状の底辺部には、直線状に歯が設けられており、ラック部２５ａが形成されている。また、駆動部材１９の規制部材２３側の端部には円弧状に歯が設けられており、歯部１９ｂが形成されている。
そして、規制部材２３に電力が供給されない状態（ＯＦＦ状態）では、ラック部２５ａと歯部１９ｂとが噛合している。このため、コア２４が突出している状態では、前記噛合が行われると同時にコア２４も位置ズレしないため、駆動部材１９は回動が規制される。これに伴い、駆動部材１９に摺接しているシャッタ２１も回動が規制されることになる。また、規制部材２３が駆動されると（ＯＮ状態）、コア２４が規制部材２３内側へ退いて、ラック部２５ａと歯部１９ｂとの噛合が外れる。そして、シャッタ２１の回動規制も解除される。
【００２０】
シャッタ２１の上下揺動の様子について、図５から図７を用いて説明する。図５はピックアップアーム７・８が最上位置にあるときの給紙装置２の側面断面図であり、図６はピックアップアーム７・８が繰込み位置にあるときの給紙装置２の側面断面図であり、図７はピックアップアーム７・８が中間位置にあるときの給紙装置２の側面断面図である。
給紙装置２が作動されていない状態では、ピックアップアーム７・８は回動可能な範囲における最上位置にて待機している。このときシャッタ２１は下降しており、前記シャッタ部２１ｄの先端は、インナーガイド４１上面に設けた凹部に係止される。これにより、原稿束５が前記原稿挿入口１ａより挿入されても、シャッタ２１がつられて回動することはない。以下の説明では、このときのシャッタ２１の位置を規制位置とする。
原稿束５の繰込みが開始されると、ピックアップアーム７・８が下降して、図６に示すように、ピックアップローラ９が原稿束５の上面に当接する。ピックアップアーム７・８の下降に伴い、前記係合部材１７と前記係合片２２との係合が外れて、駆動部材１９は弾性部材２０の付勢により上昇し、それに伴いシャッタ２１も上昇する。このときのピックアップアーム７・８の位置を繰込み位置とし、シャッタ２１の位置を待機位置とする。
そして一枚の原稿５ａがフィードローラ３４側へ給送されると、前述したようにセパレートローラ６が連れ回りしてワンウェイクラッチ１１が切断され、ピックアップアーム７・８が上昇する。このとき、駆動軸４の原稿給送方向への回転は継続しており、先の原稿５ａの後端がセパレートローラ６を離れると、再びワンウェイクラッチ１１が接続されて、ピックアップアーム７・８が下降を始める。
この原稿束５の繰込み作業中は前記規制部材２３をＯＦＦ状態として、前記のようにピックアップアーム７・８の昇降にもかかわらず前記シャッタ２１は待機位置に停止するようにしている。具体的には、ピックアップアーム７・８が所定の量だけ上昇すると前記係合部材１７と前記係合片２２とが係合し、更に上昇しようとするピックアップアーム７・８は係合部材１７を介して枢軸１６を回転させようとするが、前記ラックと歯部との噛合によって枢軸１６の回転が防止されて、シャッタ２１は下降することがない。
なお、ピックアップアーム７・８が所定高さだけ上昇して、係合部材１７と係合片２２とが係合する位置を、ピックアップアーム７・８の中間位置とする。原稿の繰り込み作業中は、ピックアップアーム７・８は前記繰込み位置とこの中間位置との間で揺動し、前記最上位置まで上昇することはない。
そして、原稿束５を構成する原稿５ａ・５ａ・・・がすべてＡＤＦ装置１内へ給送されて繰込み作業が終了すると、ピックアップアーム７・８は前記最上位置に向けて上昇を始める。ここで、繰込み作業が終了すると、前記規制部材２３がＯＮ状態とされてシャッタ２１の規制が解除されるため、ピックアップアーム７・８が前記中間位置に到達すると、駆動部材１９が駆動されてシャッタ２１を下降させ、ピックアップアーム７・８が最上位置に到達すると、シャッタ２１は前記規制位置に到達する。
【００２１】
次に、原稿繰込み時におけるピックアップアーム７・８とシャッタ２１の駆動の様子について、図８を用いて説明する。図８はシャッタ機構動作の手順流れ図である。
給紙装置２の休止状態（作動されていない状態）では、図４に示すように、シャッタ２１は下降して規制位置に位置し、ピックアップアーム７・８は最上位置に位置している。また、規制部材２３はＯＦＦ状態でコア２４が突出したままであり、シャッタ２１の回動が規制されている。ユーザーはこの状態の時に、原稿束５を前記インナーガイド４１上に載置し、シャッタ２１に原稿束５を突き当ててセットする（ステップ１０１）。
【００２２】
この状態からスタートキーが押される等して給紙装置２に繰り込み開始が指示されると、まず、規制部材２３がＯＮ状態となり、コア２４が規制部材２３内側へ退いて、駆動部材１９及びシャッタ２１の回動規制が解除された図１、図５に示す状態となる（ステップ１０２）。
次いで、駆動軸４が駆動されてピックアップアーム７・８が最上位置より下降を開始し、図６に示すように繰込み位置に到達する。シャッタ２１は同時に上昇し、図６に示す待機位置に到達する。
このシャッタ２１が待機位置に到達した状態で規制部材２３はＯＦＦ状態とされ、シャッタ２１の回動が規制される。これは、後述するステップ１０４において、ピックアップアーム７・８の上昇に連動してシャッタ２１が下降することを防止するためである。そして、ピックアップローラ９が駆動して、原稿束５より原稿５ａの繰込みが開始される（ステップ１０３）。
【００２３】
原稿５ａ・５ａ・・・の繰込みが行われているときは、ピックアップアーム７・８は図６、図７に示すように、繰込み位置と中間位置との間で上下に揺動する。詳細には前述したように、原稿５ａがフィードローラ３４に到達して一枚の原稿５ａの繰込みが終了すると、セパレートローラ６が連れ回り、ワンウェイクラッチ１１が切断され、ピックアップアーム７・８が上昇する。そして、原稿５ａの後端がセパレートローラ６から離れると、再びワンウェイクラッチ１１が接続されてピックアップアーム７・８が繰込み位置まで下降し、原稿５ａの繰込みを行う。この作業が、原稿束５を構成する原稿５ａ・５ａ・・・がなくなるまで繰り返される（ステップ１０４）。
【００２４】
給紙装置２のピックアップローラ９側には、ＤＳ（原稿検知）センサが配設されており、該ＤＳセンサにより供給トレイ（インナーガイド４１）上の原稿の有無が検出される。
原稿束５の繰込みが終了して最終原稿がＡＤＦ装置１内へ搬送されると、ＤＳセンサがＯＦＦ状態となる。すると、規制部材２３がＯＮ状態とされて、シャッタ２１の規制が解除される（ステップ１０５）。
次いで、駆動軸４が原稿給送方向に対して逆回転駆動され、このためワンウェイクラッチ１１が切断されて、ピックアップアーム７・８が上昇を開始する。ピックアップアーム７・８はその上昇途中で中間位置を通過し、前記係合部材１７は前記係合片２２と係合する。ステップ１０４の状態とは異なり規制部材２３による駆動部材１９の規制がないので、ピックアップアーム７・８は更に上昇し、シャッタ２１も連動して下降する。最終的には、図１、図５に示すように、ピックアップアーム７・８は最上位置に到達し、シャッタ２１は規制位置に到達する（ステップ１０６）。
【００２５】
そして、ピックアップアーム７・８は最上位置に位置し、シャッタ２１が規制位置に位置すると、規制部材２３がＯＦＦ状態とされて、シャッタ２１がステップ１０１の状態と同じく、その昇降を再び規制される（ステップ１０７）。これにより、新たな原稿束をシャッタ２１に突き当ててセットできるようになる。
【００２６】
【発明の効果】
請求項１記載の如く構成したので、回動支点をピックアップローラ側に設けて、シャッタが原稿先端より離れながら上昇するように構成しながら、シャッタの回動スペースが十分確保できる位置にシャッタの回動支点を設けることができる。
また、ピックアップアームの上下揺動位置により、ピックアップアームとシャッタとが係合したり、係合が外れたりするように構成することができる。このため、挿入された原稿束の厚みによって、ピックアップアームの下がり幅が変化し、ピックアップアームに常時係合で連動するシャッタが十分に下降しない、といった規制不良の発生を防止することができる。
【００２７】
請求項２記載の如く構成したので、原稿の搬送途中でシャッタが下降して、原稿が傷つくことを防止できる。
また、ＡＤＦ装置のカバーを開放するときにシャッタをロックした状態にすることができ、紙詰まりの発生時でも、シャッタが邪魔とならずにジャム除去作業等を行うことができる。
【図面の簡単な説明】
【図１】シャッタ２１が下降した状態を示すＡＤＦ装置１の側面断面図である。
【図２】シャッタ２１が上昇した状態を示すＡＤＦ装置１の側面断面図である。
【図３】シャッタ２１が下降した状態を示す給紙装置２の要部の平面図である。
【図４】シャッタ２１の回動規制状態を示す給紙装置２の側面断面図である。
【図５】ピックアップアーム７・８が最上位置にあるときの給紙装置２の側面断面図である。
【図６】ピックアップアーム７・８が繰込み位置にあるときの給紙装置２の側面断面図である。
【図７】ピックアップアーム７・８が中間位置にあるときの給紙装置２の側面断面図である。
【図８】シャッタ機構動作の手順流れ図である。
【符号の説明】
１  ＡＤＦ装置
２  給紙装置
４  駆動軸
６  セパレートローラ
７・８  ピックアップアーム
９  ピックアップローラ
１０  弾性部材
１９  駆動部材
２１  シャッタ
２３  規制部材
【図１】
0003636077.tif 000002
【図２】
0003636077.tif 000003
【図３】
0003636077.tif 000004
【図４】
0003636077.tif 000005
【図５】
0003636077.tif 000006
【図６】
0003636077.tif 000007
【図７】
0003636077.tif 000008
【図８】
0003636077.tif 000009